【手続補正書】
【提出日】平成28年12月14日(2016.12.14)
【手続補正１】
【補正対象書類名】特許請求の範囲
【補正対象項目名】全文
【補正方法】変更
【補正の内容】
【特許請求の範囲】
【請求項１】
被験者の気道への供給のための呼吸可能なガスの加圧フローを生成する圧力生成器と、
あるボリュームの液体を保持し、加熱された前記液体から形成される蒸気が、前記呼吸可能なガスの加圧フローに加湿するように、前記液体の温度を制御可能に上昇させる加湿器と、
前記呼吸可能なガスの加圧フローに関連する情報を伝える出力信号を生成する１つ以上の使用時間センサと、
コンピュータプログラムモジュールを実行する１つ以上のプロセッサと、
を含み、
前記コンピュータプログラムモジュールは、
前記加湿器によって保持される前記液体のレベルを得る液体レベルモジュールと、
前記１つ以上の使用時間センサによって生成される前記出力信号に基づいて、現在の使用セッションについての被験者の使用時間を推定する使用時間モジュールと、
前記現在の使用セッションについての推定される前記使用時間と、前記加湿器によって保持される前記液体の前記レベルとに基づいて、前記液体を加熱するように前記加湿器を制御し、これにより、推定される前記使用時間の終わりにおいて、前記加湿器内に、ある量の液体が確実に残る加湿器制御モジュールと、
を含む、圧補助システム。
【請求項２】
前記加湿器制御モジュールは更に、通常の動作モードから、前記現在の使用セッションの間に、前記呼吸可能なガスの加圧フローが加湿される時間を延長するように、前記加湿器の動作を調節する、請求項１に記載の圧補助システム。
【請求項３】
被験者の気道への供給のための前記呼吸可能なガスの加圧フローを制御可能に加熱する被験者インターフェースヒータを更に含み、前記コンピュータプログラムモジュールは更に、前記加湿器制御モジュールによって決定される目標湿度に基づいて、前記呼吸可能なガスの加圧フローの温度を目標温度に維持するように、前記被験者インターフェースヒータを制御する被験者インターフェースヒータ制御モジュールを含む、請求項２に記載の圧補助システム。
【請求項４】
前記使用時間モジュールは更に、前記現在の使用セッションの間に、前記１つ以上の使用時間センサによって生成される前記出力信号に基づいて、前記現在の使用セッションについての被験者の前記使用時間を推定する、請求項１に記載の圧補助システム。
【請求項５】
前記加湿器内の現在の液体レベルに関連する情報を伝える出力信号を生成する１つ以上の液体レベルセンサを更に含み、前記液体レベルモジュールは、前記１つ以上の液体レベルセンサによって生成される前記出力信号に基づいて、前記現在の液体レベルを決定することによって、前記液体レベルを得て、前記液体レベルモジュールは、前記１つ以上の液体レベルセンサによって生成される前記出力信号に基づいて、液体使用率を決定する、請求項１に記載の圧補助システム。
【請求項６】
被験者の気道に湿度が制御された呼吸可能なガスの加圧フローを供給する方法であって、
被験者の気道への供給のための前記呼吸可能なガスの加圧フローを生成するステップと、
あるボリュームの液体を加湿器内に保持するステップと、
加熱された前記液体から形成される蒸気が、前記呼吸可能なガスの加圧フローに加湿するように、前記加湿器内の前記液体の温度を制御可能に上昇させるステップと、
前記呼吸可能なガスの加圧フローに関連する情報を伝える１つ以上の出力信号を生成するステップと、
前記加湿器によって保持される前記液体のレベルを得るステップと、
前記１つ以上の使用時間パラメータに関連する情報を伝える前記１つ以上の出力信号に基づいて、現在の使用セッションについての前記被験者の使用時間を推定するステップと、
前記現在の使用セッションについての推定される前記使用時間と、前記加湿器によって保持される前記液体の前記レベルとに基づいて、前記液体を加熱するように前記加湿器を制御し、これにより、推定される前記使用時間の終わりにおいて、前記加湿器内に、ある量の液体が確実に残るステップと、
を含む、方法。
【請求項７】
通常の動作モードから、前記現在の使用セッションの間に、前記呼吸可能なガスの加圧フローが加湿される時間を延長するように、前記加湿器の動作を調節するステップを更に含む、請求項６に記載の方法。
【請求項８】
前記呼吸可能なガスの加圧フローを制御可能に加熱するステップと、目標湿度に基づいて、前記呼吸可能なガスの加圧フローの温度を目標温度に維持するステップと、を更に含む、請求項７に記載の方法。
【請求項９】
前記現在の使用セッションの間に、１つ以上の使用時間センサによって生成される前記出力信号に基づいて、前記現在の使用セッションについての被験者の前記使用時間を推定するステップを更に含む、請求項６に記載の方法。
【請求項１０】
前記加湿器内の現在の液体レベルに関連する情報を伝える出力信号を生成するステップを更に含み、前記現在の液体レベルは、前記現在の液体レベルに関連する情報を伝える前記出力信号に基づいて決定され、液体使用率は、前記加湿器内の前記現在の液体レベルに関連する情報を伝える前記出力信号に基づいて決定される、請求項６に記載の方法。
【請求項１１】
被験者の気道への供給のための呼吸可能なガスの加圧フローを生成する手段と、
あるボリュームの液体を保持し、加熱された前記液体から形成される蒸気が、前記呼吸可能なガスの加圧フローに加湿するように、前記あるボリュームの液体を保持する前記手段内の前記液体の温度を制御可能に上昇させる手段と、
前記呼吸可能なガスの加圧フローに関連する情報を伝える出力信号を生成する手段と、
コンピュータプログラムモジュールを実行する手段と、
を含み、
前記コンピュータプログラムモジュールは、
加湿する前記手段によって保持される前記液体のレベルを得る手段と、
前記１つ以上の使用時間パラメータに関連する情報を伝える前記出力信号を生成する前記手段によって生成される前記出力信号に基づいて、現在の使用セッションについての前記被験者の使用時間を推定する手段と、
前記現在の使用セッションについての推定される前記使用時間と、加湿する前記手段によって保持される前記液体のレベルとに基づいて、前記液体を加熱するように、加湿する前記手段を制御し、これにより、推定される前記使用時間の終わりにおいて、加湿する前記手段内に、ある量の液体が確実に残る手段と、
を含む、圧補助システム。
【請求項１２】
加湿する前記手段を制御する前記手段は更に、通常の動作モードから、前記現在の使用セッションの間に、前記呼吸可能なガスの加圧フローが加湿される時間を延長するように、加湿する前記手段の動作を調節する、請求項１１に記載の圧補助システム。
【請求項１３】
前記被験者の気道への供給のための前記呼吸可能なガスの加圧フローを制御可能に加熱する手段を更に含み、前記コンピュータプログラムモジュールは更に、加湿する前記手段を制御する前記手段によって決定される目標湿度に基づいて、前記呼吸可能なガスの加圧フローの温度を目標温度に維持するように、前記呼吸可能なガスの前記加圧フローを制御可能に加熱する前記手段を制御する手段を含む、請求項１２に記載の圧補助システム。
【請求項１４】
前記使用時間を推定する前記手段は更に、前記現在の使用セッションの間に、前記１つ以上の使用時間パラメータに関連する情報を伝える前記１つ以上の出力信号を生成する前記手段によって生成される前記出力信号に基づいて、前記現在の使用セッションについての前記被験者の前記使用時間を推定する、請求項１１に記載の圧補助システム。
【請求項１５】
加湿する前記手段内の現在の液体レベルに関連する情報を伝える出力信号を生成する手段を更に含み、加湿する前記手段によって保持される前記液体のレベルを得る前記手段は、加湿する前記手段内の前記現在の液体レベルに関連する情報を伝える前記１つ以上の出力信号を生成する前記手段によって生成される前記出力信号に基づいて、前記現在の液体レベルを決定することによって、前記液体レベルを得て、また、加湿する前記手段によって保持される前記液体のレベルを得る前記手段は、加湿する前記手段内の前記現在の液体レベルに関連する情報を伝える前記出力信号を生成する前記手段によって生成される前記出力信号に基づいて、液体使用率を決定する、請求項１１に記載の圧補助システム。